(57)【要約】【課題】ＡＶ機器が待機電力の低減のためネットワークの中継機能を提供する際に、ＡＶデータの伝送の途切れや停止が発生することある。【解決手段】ネットワーク接続された機器において、他の機器との通信部、通信のためのネットワーク解釈部、ネットワーク資源の管理と制御を行うネットワーク管理制御部、ネットワーク資源を管理する機器を調べる機能と自機が他の機器と通信中であることを調べる機能を有する機器状態判定部、自機器の伝送が切断された場合に再接続を行なう再接続要求部から構成され、機器状態判定部の結果に基づいて電源切断時の処理手順を切り替える。【選択図】図６
2005252920.tif 000002
【特許請求の範囲】
【請求項１】
ネットワークに接続された機器の間でデータ伝送に要する資源を確保してデータ取得のための通信を確立する機器におけるネットワーク制御装置であって、
ネットワークを介して通信を行う通信制御部と、
通信データの制御と解釈を行なうネットワーク解釈部と、
ネットワークの資源管理と制御を行うネットワーク資源管理制御部と、
電源切断時に、伝送されたデータを解釈して処理可能な機能を有する状態で待機状態に行なう機能と、データのみを中継することを可能とする機能を有する状態で待機状態に行なう機能と、データの中継する機能を停止して待機状態とする機能を備えた電源制御部とを備えたネットワーク制御装置。
【請求項２】
ネットワーク上でデータ取得のために通信を確立している機器の存在を調べる機能を有する機器状態判定部を備え、前記機器状態判定部の結果からネットワーク上で通信を確立している機器が存在しない場合には、ネットワークの状態変化の発生をネットワーク上に通知し、データを中継する機能を残したまま電源切断の処理を行うことを特徴とする請求項１に記載のネットワーク制御装置。
【請求項３】
ネットワーク上でデータ取得のために通信を確立している機器の存在を調べる機能を有する機器状態判定部を備え、電源切断時にネットワーク上でデータ取得のために通信を確立している機器が存在する場合、前記機器状態判定部において定期的にネットワークの状態を調べ、通信を確立している機器が存在しなくなった場合に、データを中継する機能を残したまま電源切断の処理を行うことを特徴とする請求項１に記載のネットワーク制御装置。
【請求項４】
ネットワーク上でデータ取得のために通信を確立している機器の存在を調べる機能に加えネットワークの資源管理を行っている機器を調べる機能を有した機器状態判定部を備え、前記機器状態判定部の結果からネットワークの状態変化の発生を通知する必要性を判断して前記電源制御部が電源切断時の処理手順を変更することを特徴とする請求項１に記載のネットワーク制御装置。
【請求項５】
前記機器状態判定部が自機器と他機器との間で通信の確立の有無を調べることを特徴とする請求項４に記載のネットワーク制御装置。
【請求項６】
自機器がネットワーク資源管理を行なっている場合または自機器と他機器との間で通信の確立がある場合には、ネットワークの状態変化の発生をネットワークに通知せず、前記電源制御部が伝送されたデータを解釈して処理可能な機能を有する状態にすることを特徴とする請求項５に記載のネットワーク制御装置。
【請求項７】
データ取得のための通信を確立した時に取得先の機器の情報を保持して、自機器の操作による通信の切断とは異なる場合には、保持した前記取得先機器の情報に基づいて再度通信路の確立を行う再接続要求部を備えた請求項２乃至６のいずれかに記載のネットワーク制御装置。
【発明の詳細な説明】
【技術分野】
【０００１】
本発明は、リアルタイムにＡＶデータを伝送するため、伝送帯域や伝送チャンネルなど必要なネットワーク資源を確保してデータの送受信を行うネットワークにおいて、複数のオーディオ・ビデオ機器（以降、ＡＶ機器と記述する）などがネットワークに接続された場合の電源制御に関するものである。
【背景技術】
【０００２】
デジタル放送受信機やデジタルＶＴＲ（以降、ＤＶＴＲと記述する）、ハードディスクレコーダ（以降、ＨＤＲと記述する）など、ＡＶ機器のデジタル化に伴いデジタルネットワークとして、ＩＥＥＥ１３９４（非特許文献１を参照）が使用されている。これらのＡＶ機器は、ネットワークを介して接続して、デジタル映像の伝送により再生や記録が可能となる。
【０００３】
ＩＥＥＥ１３９４では、スター状の接続形態を取ることで、一つのネットワークに最大６３台まで接続することができ、接続された任意の機器の間でデジタルデータを伝送することが可能である。また、ネットワーク上のデータの伝送には、ＡＶデータの伝送とＡＶ機器の操作を行うためのコマンドの２種類の伝送方式がある。前者は、伝送帯域を確保することでＡＶデータ伝送のリアルタイム性を保証するＩｓｏｃｈｒｏｎｏｕｓパケットにより行われ、後者は、データの送受信の確実性を保証するＡｓｙｎｃｈｒｏｎｏｕｓパケットにより行われる。これらのＡＶプロトコルは、現在、ＩＥＣ６１８８３において、デジタルビデオ（ＤＶ）、ＭＰＥＧ２−ＴＳ、オーディオの各ストリームの伝送と機器を操作するＡＶ／Ｃコマンドの伝送が規格化されている。
【０００４】
Ｉｓｏｃｈｒｎｏｕｓパケットの伝送には、ＢｒｏａｄｃａｓｔコネクションとＰｏｉｎｔ−ｔｏ−Ｐｏｉｎｔコネクションの２種類がある。前者は、相手機器の特定を行わずにデータの伝送を行うもので、ＭＰＥＧ２−ＴＳの場合は通常６３チャンネルを用いてネットワーク上に送信される。後者は、あらかじめ伝送相手を特定して行うが、同時に複数の機器が同じデータを受信することも可能である。この時、データ受信側の機器は、データ送出側の機器に対して、Ｐｏｉｎｔ−ｔｏ−Ｐｏｉｎｔコネクションを確立することが必要である。コネクションの確立や切断を行う場合、コネクションを確立する側が、送出側および受信側のＰｏｉｎｔ−ｔｏ−Ｐｏｉｎｔコネクションの数を保持する領域をインクリメント、もしくはデクリメントする。データ送出側は、このカウンタの値が０にならない限りＩｓｏｃｈｒｏｎｏｕｓパケットの送出を継続する必要がある。
【０００５】
なお、最初にＰｏｉｎｔ−ｔｏ−Ｐｏｉｎｔコネクションを確立する機器は、あらかじめ伝送するストリームのビットレートに応じた伝送帯域と使用するチャンネル資源を取得した上で、コネクションを確立する必要がある。従って、２番目にコネクションの確立を行う機器は、伝送帯域やチャンネルの取得は必要ない。詳細は、ＩＥＣ６１８８３のＳｐｅｃｉｆｉｃａｔｉｏｎに記載されている。
【０００６】
また、伝送帯域や伝送チャンネルの資源を管理する機能は、ＩＲＭ（Ｉｓｏｃｈｒｎｏｕｓ  Ｒｅｓｏｕｒｃｅ  Ｍａｎａｇｅｒ）と呼ばれ、この機能はネットワーク上に１台のみ存在する。通常、ＡＶ機器はＩｓｏｃｈｒｏｎｏｕｓパケットの送受信を行うため、ＩＲＭの機能を提供できる必要がある。先にも述べたように、ＡＶデータ伝送を開始するためコネクションの確立や切断を行う場合、ＩＲＭに対して伝送資源の要求や返却を行う。また、ネットワークの管理機能には、ネットワークのトポロジーや伝送速度を保持するＢＭ（Ｂｕｓ  Ｍａｎａｇｅｒ）等があるが、ＢＭは必ずしも存在していなくても良い。
【０００７】
また、このネットワークの特徴として、機器の電源を切断することなく、随時、ネットワークへの接続や切り離しを行うことが可能であるため、容易にネットワークのトポロジーが変化することがある。なお、トポロジーや接続されたＡＶ機器の影響で、先に述べたＩＲＭやＢＭとなるＡＶ機器が変化することがある。
【０００８】
通常、ネットワークのトポロジーが変化する場合、ネットワーク上にバスリセットが通知され、各ＡＶ機器はネットワークや機器の情報などを再取得する。バスリセットは、ＡＶ機器の接続や切断だけでなく、情報を再取得させるために、強制的に行うことも可能である。
【０００９】
図１は説明のためネットワークに接続した機器の例を示したものである。
【００１０】
図１において、１００はデジタルネットワーク、１０１は機器Ａ，１０２は機器Ｂ、１０３は機器Ｃから構成されている。この時、機器Ａ１０１、機器Ｂ１０２、機器Ｃ１０３はデジタル放送受信機やＤＶＴＲ、ＨＤＲなどの録画機などである。図１において、機器Ｂ１０２は主電源を切断するとネットワークの伝送機能を停止するものとする。
【００１１】
ここで、デジタルネットワーク１００の両端に接続された機器Ａ１０１と機器Ｃ１０３の間でＡＶ／ＣコマンドやＡＶデータの伝送が行われている場合、両者の中間にある機器Ｂ１０２の主電源を切断すると、ネットワークが切断されて伝送が途絶える。この時、機器Ａ１０１がデジタル放送受信機で、機器Ｃ１０３が録画機で録画を実行中である場合、録画が中断される。
【００１２】
ところが、例えば、ＤＶＴＲ等の一部のＡＶ機器では、ＡＣケーブルを抜くなど物理的に電源供給を止めない限り、主電源の切断だけでは、ＡＶ／Ｃコマンドや信号を中継するだけでなく、自機器に対するＡＶ／Ｃコマンドを受信して処理を行うＡＶ機器などもある。
【００１３】
一方、ＩＥＥＥ１３９４では、ＡＶ機器のネットワークの接続端子が少ない場合にＡＶ機器の接続数を増やすことを目的にした中継器もある。これは、ＩＥＥＥ１３９４の伝送に必要な機能のみを持たせたもので、先に述べたＡＶデータやＡＶ／Ｃコマンドの解釈は一切行わず、パケット伝送の中継のみを行うものである。従って、主電源を切断した場合、データの伝送のみを行うことにすれば、ＡＶ機器においても中継機能のみを提供することで、伝送に必要な最小限の電源を供給する事で可能となる。
【００１４】
但し、この時、ＡＶ機器を中継器として動作させる場合、ネットワークの状態が変化することを通知することが望ましいが、これを行なうにはＩＥＥＥ１３９４のバスリセットを発生させて、ネットワークの再構築を促す必要がある。
【特許文献１】特開２００１−１６０８０６号公報
【非特許文献１】ＩＥＥＥ  Ｓｔｄ．１３９４−１９９５、ＩＥＥＥ１３９４  Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓ  ＩＥＥＥ  Ｓｔｄ．１３９４ａ−２０００、ＩＥＥＥ１３９４  Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓ  ＩＥＣ６１８８３  Ｃｏｎｓｕｍｅｒ  ａｕｄｉｏ／ｖｉｄｅｏ  ｅｑｕｉｐｍｅｎｔ  −  Ｄｉｇｉｔａｌ  ｉｎｔｅｒｆａｃｅ
【発明の開示】
【発明が解決しようとする課題】
【００１５】
上記のように、ＩＥＥＥ１３９４を搭載したＡＶ機器は、ネットワーク上に複数の機器を接続することが可能である。しかしながら、ネットワークのトポロジーが変化する場合などでバスリセットが発生すると、一旦、ネットワーク資源が解放され、所定時間以内に自機器が確立したコネクションの復旧処理や、応答を受けていないＡＶ／Ｃコマンドの再要求などが必要となり、各ＡＶ機器で様々な処理が必要となる。また、規格上、先に述べたコネクションの復旧が不可能な場合も起こりえるため、Ｉｓｏｃｈｒｏｎｏｕｓパケットの伝送の途切れや、復旧に失敗した場合に伝送が途絶えることがある。
【００１６】
また、接続されるＡＶ機器が、主電源を切断してもＡＶ／Ｃコマンドや信号の中継や自機器に対するＡＶ／Ｃコマンドを受信して処理を行うものであれば、主電源を切断してもネットワークが切断されることなく、録画が中断される問題はなくなるが、処理を継続するためＡＶ機器内の多くの処理機能を動作させる必要があり、待機電力が大きくなる問題がある。
【００１７】
さらに、ＡＶデータやＡＶ／Ｃコマンドの解釈は一切行わず、パケット伝送の中継のみを行う中継器であっても、バスリセットを行うことで、Ｉｓｏｃｈｒｏｎｏｕｓパケットで伝送していたＡＶデータが途切れたり、ＩＥＥＥ１３９４で求められているコネクションの復旧に失敗したりした場合、パケットの伝送そのものが停止する問題がある。これにより、データを伝送する機能は提供できるが、バスリセット発生時に行なっていた機器間のＡＶデータの伝送が途切れて、録画や再生が中断する問題が発生する。
【課題を解決するための手段】
【００１８】
ＡＶデータの伝送が中断することなく、ＡＶ機器の待機時の消費電力を低減するためには、中継器として動作させる必要がありデータの伝送に必要とする最小限の電源供給をネットワークの伝送回路にのみに行う。例えば、ＩＥＥＥ１３９４の場合は、ネットワークの物理層を実現しているＰＨＹ機能の回路に電源の供給を行う。これに加えて、ネットワーク状態の変化が発生することをバスリセットの発生で通知するが、ＡＶデータの伝送を妨げないためには、極力バスリセットの発生を行なわないことが必要である。従って、電源切断時にネットワークに接続された機器の状態を調べる機器状態判定部を備え、機器の電源制御において、バスリセットの必要性の判断を行った上で、電源切断手順を変更する機能を持つ必要がある。
【００１９】
なお、中継器として機能させるためにバスリセットを発生させる場合、ＳｅｌｆＩＤパケットの送信で、ＰＨＹより上位の機能が停止していることを示すＬＩＮＫ−Ａｃｔｉｖｅのビットが０になるようにＰＨＹを設定しておく必要がある。
【００２０】
電源切断手順を変更する条件判断の一つに、ネットワークに接続された全てのＡＶ機器について、コネクション確立の有無を調べる。これは、ＡＶ機器がコネクションの存在を示すカウンタの値を調べることで判断が可能となる。ネットワーク上で、全くコネクションの確立が行われていないと判断された場合、バスリセットを発生させた後、中継機能のみを動作させることで、ＡＶデータの伝送の中継やバスリセットによるデータの伝送を妨げることはない。
【００２１】
次に他の電源切断手順を変更する条件について述べる。ＡＶデータを伝送するＡＶ機器は、自機器がネットワーク資源を管理するＩＲＭ（Ｉｓｏｃｈｒｏｎｏｕｓ  Ｒｅｓｏｕｒｃｅ  Ｍａｎａｇｅｒ）機能を有することが求められている。従って、電源を切断するＡＶ機器がＩＲＭやＢＭ（Ｂｕｓ  Ｍａｎａｇｅｒ）であった場合は、中継機能の提供のみを行なう機器に変化すると、他のＡＶ機器が新たなＡＶデータの伝送のためのネットワークの資源を取得することができなくなる。従って、電源切断時には、バスリセットを発生させて、ネットワーク上の他のＡＶ機器がこの役割を果たせるようにする必要がある。
【００２２】
これにより、中継するＡＶ機器が電源切断後に、接続される他のＡＶ機器のうちのいずれかがネットワークの資源管理を行うＩＲＭとなり、これらのＡＶ機器の間で新たなコネクションを確立する場合、ネットワークの資源の取得を行うことができ、ＡＶデータの伝送が可能となる。
【００２３】
しかし、電源を切断するＡＶ機器がネットワークの資源を管理する機能を提供しない場合、さらに、接続される他のＡＶ機器間でＡＶデータを伝送している場合、バスリセットを発生させるとＡＶデータの伝送が途切れたり、中断が発生する可能性があるため、ネットワークの状況に応じて、バスリセットの発生、もしくは中継機能への変化を行なわない必要がある。
【００２４】
一方、自機器がＩＲＭやＢＭではない場合でも、自機器に対して他の機器からコネクションが確立されている場合も、バスリセットを行う必要がある。例えば、ＤＶＴＲなどの録画機はダビングなどの機能を提供するために、ＬＩＮＣ機能を提供している場合がある。これは、他の機器に対してＡＶデータを受信するために、常に入力用のコネクションを確立する機能である。例えば、接続先相手が、バスリセットを伴わずに中継器の機能提供に変化した場合、自機器が確立したコネクションの切断が行えなくなり、他のＡＶ機器からストリームを入力するための新たなコネクションを確立することができず、録画機の場合、録画が実行できなくなる。従って、自機器にコネクションが存在する場合には、バスリセットを行う必要がある。これにより、ＬＩＮＣしていた他の機器はコネクションの復旧を試みるが、自機器は要求に対して応答しないため、復旧に失敗して、コネクションがなくなるため、異なる機器とのコネクションの確立が可能となる。
【００２５】
これまで述べたように、電源切断による省電力化が必要で、中継器機能のみを提供するために、バスリセットが必要となる場合がある。そこで、ＩＥＥＥ１３９４規格上のコネクション復旧処理に加えて、自機器がコネクションを確立した場合、相手機器を特定する唯一のＩＤをもとに、接続先を記憶しておく。これにより、バスリセットによるコネクションの復旧に失敗した場合、先に記憶した相手機器を特定して、コネクションの確立処理を継続して行う通信の再接続機能を設ける。従って、復旧失敗後、速やかに再確立を行うことで、バスリセットによるコネクション切断から復旧することができ、パケット落ちを最小限にとどめることができるため、録画時には継続して録画することが可能となる。また、再生などの場合には、再コネクションまでの画像の途切れの後、表示が可能となる。
【発明の効果】
【００２６】
本発明によれば、待機時の省電力化を行なう際、ネットワーク上のＡＶデータの伝送を妨げずにＡＶ機器が電源切断を行なうことが可能となり、ネットワークを介した録画や再生、視聴の中断されることがなくなる。
【発明を実施するための最良の形態】
【００２７】
ＡＶ機器において、ＡＶデータの伝送を損なうことなく、待機時の省電力化を行なうことを目的に、ネットワークに接続された機器の状態を個別に判断して電源切断処理を切り替えることで実現した。
【００２８】
（実施の形態１）
本発明のネットワーク制御装置について、ＩＥＥＥ１３９４のデジタルネットワークを例に図面を参照しつつ説明する。図２は本発明のネットワーク制御装置を含む各機器の接続関係を示すブロック図である。なお、図１と共通部の説明は省略する。
【００２９】
図２に示すように機器を構成するブロックは、機器全体の制御するシステム制御部２００、ネットワークに応じたフォーマット手順でパケットの送信や受信を行なう通信制御部２０１、ＡＶデータ伝送のための通信の確立やＡＶ／Ｃコマンド送受の解釈を行うネットワーク解釈部２０２、ネットワークの伝送帯域やチャンネル資源の管理を行なうネットワーク資源管理制御部２０３、電源切断時に不要な機能モジュールの電源供給を停止させる電源制御部２０４である。
【００３０】
ここで、機器の表示や操作な本発明の機能部と直接関係しないＡＶ機器全体の制御を行う部分は、説明に影響しないので、システム制御部２００として表現している。例えば、システム制御部２００の機能として、ＡＶ機器が他の機器を操作するコントロール機能を提供する場合、ＤＶＴＲなどの録画機を操作するためのパネルなどを表示して、ユーザが再生や録画を選択すると、操作の命令がネットワーク解釈部２０２に伝えられ、ＩＥＥＥ１３９４のＡＶ／Ｃコマンドの命令に変換して、通信制御部２０１に伝えられる。通信制御部２０１は、ネットワークに伝送するためのフォーマットに変換した上でネットワーク１００を介して、相手機器に送信する。一方、ＡＶ／Ｃコマンドを受信した機器は、コマンドに対する応答をネットワーク１００に送信するため、通信制御部２０１は、自機器宛の応答を受信して、応答内容をネットワーク解釈部２０２に伝える。ネットワーク解釈部２０２は、応答の内容を解析してシステム制御部２００の要求先に結果を通知をする。また、ネットワーク資源管理制御部２０３は、伝送資源の管理と要求に応じて提供を行なうＩＲＭやネットワークに接続された機器の構成や伝送速度を管理するＢＭの機能を提供する。ＩＥＥＥ１３９４では、ＩＲＭやＢＭはネットワークに唯一存在する。電源制御部２０４は、システム制御部２００より電源切断要求を受けた場合、あらかじめ登録されている待機状態の処理について、ネットワークに関係する全ての処理可能な状態にして待機状態にしたり、ネットワークのデータ中継が可能な状態にして待機状態にしたり、ネットワークに関する機能を全て止めて待機状態にする機器を構成する機能モジュールの電源制御を行なうものである。
【００３１】
電源切断により、ネットワークのデータ中継が可能な状態に遷移する場合、ネットワーク上にネットワークの構成変化を通知して、各機器が保持するネットワーク構成の再取得を行なわせる場合と通知を行なわない場合の２通りの処理がある。先に述べた通り、前者は、この通知すなわちバスリセットを行った場合、ＡＶデータの伝送を行っていた場合にデータ伝送を途切れさせることがあるため、ネットワークの状態を判断して、中継機能を残した場合の電源切断時のバスリセットの処理を変更する必要がある。
【００３２】
ここで、実施の形態１について、図３を用いて説明を行なう。実施の形態１は、ネットワークに接続された機器の状態を調べる機器状態判定部２０５が追加される。機器状態判定部２０５は、ネットワークに接続された機器がＡＶデータの通信を確立しているか否かの情報を取得するために用いられる。この情報を元に、電源制御部２０４が、中継機能を持つ待機状態に移行する場合にバスリセットを行なうか否かの判断を行なう。
【００３３】
図４は機器状態判定部２０５の処理を示す流れ図である。図４を用いて処理を説明する。Ｓ１００は、自機器以外にネットワークに接続された機器が存在するかを調べ、存在しない場合、自機器以外の接続がないため、Ｓ１０７でバスリセットの発生処理は不要と判断する。Ｓ１００で、他に機器が接続されている場合は、Ｓ１０１の処理へ移り、ＩＲＭに対して現在帯域の残量を読み出す。自機器がＩＲＭの場合は、ネットワーク資源管理制御部２０３から読み出すことができ、他の機器がＩＲＭの場合は、ネットワーク解釈部２０２に情報取得要求を行う。次に通信制御部２０１は、帯域情報を保持するレジスタから情報の読み出しを行ない、応答を受けとる。次にＳ１０２は、受け取った帯域残情報が０ｘ１３３３の場合は、帯域が使用されていないため、Ｓ１０７の処理に移る。それ以外の場合は、帯域が使用されているため、ネットワーク上でＡＶデータの通信が確立されているため、次のＳ１０３へ移る。Ｓ１０３では、順番に接続機器のデータ送信のプラグを調べる。ＩＥＥＥ１３９４では、コネクションの確立の有無は、仮想的なプラグとして管理されており、出力と入力のプラグが存在する。例えば、出力プラグの情報には、Ｏｕｔｐｕｔ  Ｍａｓｔｅｒ  Ｐｌｕｇ  Ｒｅｇｉｓｔｅｒ（ｏＭＰＲ）、Ｏｕｔｐｕｔ  Ｐｌｕｇ  Ｃｏｎｔｒｏｌ  Ｒｅｇｉｓｔｅｒ（ｏＰＣＲ）があり、ｏＭＰＲには出力プラグの数などが保持されている。入力プラグも同様に、Ｉｎｐｕｔ  Ｍａｔｅｒ  Ｐｌｕｇ  Ｒｅｇｉｓｔｅｒ（ｉＭＰＲ）とＩｎｐｕｔ  Ｐｌｕｇ  Ｃｏｎｔｒｏｌ  Ｒｅｇｉｓｔｅｒ（ｉＰＣＲ）がある。ｏＰＣＲやｉＰＣＲは、プラグが出力可能か否かを示すオンラインビットや、ＰｏｉｎｔーＴｏーＰｏｉｎｔコネクションの数を示すＰＣＣとブロードキャストコネクションの存在を示すＢＣＣのカウンタがある。なお、ｏＰＣＲやｉＰＣＲは、それぞれｏＭＰＲやｉＭＰＲで示されたプラグの数だけ存在する。そこで、Ｓ１０３は、ｏＭＰＲとｏＰＣＲを読み出す。次にＳ１０４において、Ｓ１０３で読み出された出力プラグ数のｏＰＣＲについて、オンラインビットが１であり、ＰＣＣおよびＢＣＣが０以外の場合、通信を確立している機器が存在するものとして、Ｓ１０７でバスリセットを発生させないと判断する。Ｓ１０４で、オンラインビットが０もしくは、オンラインビットが１でＰＣＣおよびＢＣＣが０の場合は、Ｓ１０５へ進む。Ｓ１０５は、ネットワーク上で未処理の機器が存在する場合はＳ１０３へ進み。全ての機器を調べた場合は、ＡＶデータの伝送は行われていないためＳ１０６へ進む。これにより、ネットワーク１００上でＡＶデータの通信の有無が明確になり、ネットワーク状態の変化の通知であるバスリセットの必要性を判断することができる。従って、電源制御部２０４はこの情報をもとに、電源切断時にデータ中継機能を提供する処理において、ＡＶデータの通信が存在しない場合はバスリセットを発生させる。もし、ＡＶデータ通信が存在する場合は、バスリセットを発生させずに処理を行う。この時、ネットワークに関係する全ての処理が可能な状態にする処理としても良い。但し、この場合は、待機時の消費電力は、中継機能よりも消費量が多くなるが、ＡＶデータの途切れを発生させることはない。
【００３４】
（実施の形態２）
次に実施の形態２について説明する。ここで、実施の形態１と異なる機器状態判定部２０５についてのみ説明する。機器状態判定部２０５は、ネットワーク資源管理制御部に対して、自機器がＩＲＭもしくはＢＭとして動作しているかを問い合わせる。この時、ＩＲＭもしくはＢＭの場合には、バスリセットが必要と判断し、それ以外の場合は、バスリセットは不要と判断する。電源制御部２０４は、この情報をもとに、電源切断時にデータ中継機能を提供する処理において、ＩＲＭもしくはＢＭではない場合、バスリセットを発生させない。もし、自機器がＩＲＭやＢＭである場合、バスリセットを発生させる処理を行う。この時、ネットワークに関係する全ての処理が可能な状態にしても良い。但し、この場合は、待機時の消費電力は、中継機能よりも消費量が多くなるが、ＡＶデータの途切れの発生は解消できる。また、新たなコネクションの確立もネットワーク資源を取得できるため、問題がなくなる。なお、バスリセットを発生させない場合、ＡＶデータの途切れの可能性はあるが、ネットワーク資源を管理する機能が存在しなくなると、新たにＡＶデータの通信が始まる場合に、ネットワークの資源の取得ができるＡＶデータそのものの通信が行なえなくなる可能性がある。
【００３５】
（実施の形態３）
次に実施の形態３について説明する。ＩＥＥＥ１３９４を搭載したＤＶＴＲなどの録画機は、ダビングなどのためにＬＩＮＣ機能を用いて常に自動で通信のコネクションを確立することがある。ＬＩＮＣ機能が用いられた場合、自機器に対してＰｏｉｎｔ−Ｔｏ−Ｐｏｉｎｔコネクションを行なわれることがあり、実施の形態３は、これに対応するものである。
【００３６】
ここで、実施の形態２と異なる機器状態判定部２０５についてのみ説明する。実施の形態２の機器状態判定部２０５は、ネットワーク資源の管理制御を行なうＩＲＭとＢＭの機能を元に電源制御の手順を判定したが、実施の形態３の機器状態判定部２０５は、これに加えて自機器にコネクションが確立されているか判定する機能を追加することで行なわれる。図５は、機器情報判定部２０５の処理を示す流れ図である。Ｓ２０２は実施の形態３で説明した処理で、自機器がネットワーク資源を管理制御する機能のＩＲＭもしくはＢＭであることを判断する。ＩＲＭもしくはＢＭであればＳ２０３のバスリセットが必要との判断に進む。それ以外の場合は、Ｓ２０１に進む、ここでは自機器の出力プラグである全てのｏＰＣＲのＰＣＣもしくはＢＣＣの一つでも０以外であれば、他の機器が自機器に対してコネクションを確立しているものとして、Ｓ２０３へ進む。それ以外の場合は、Ｓ２０２に進む、ここでは自機器の入力プラグである全てのｉＰＣＲのＰＣＣもしくはＢＣＣのうち一つでも０以外であれば、コネクションが確立されているものとして、Ｓ２０３へ進む。それ以外の場合は、Ｓ２０４のバスリセットは不要の判断を行なう。電源制御部２０４は、この情報をもとに、電源切断時にデータ中継機能を提供する際に、バスリセットの発生が必要な場合は、バスリセットを行い、それ以外の場合は、バスリセットを行なわない。この時、バスリセットが必要と判断されても、ネットワークに関係する全ての処理可能な状態にしても良い。但し、この場合、待機時の消費電力は、中継機能よりも消費量が多くなるが、ＡＶデータの途切れは発生の可能性は解消できる。なお、バスリセットを発生させた場合、ＡＶデータの途切れの可能性はあるが、他から確立されたコネクションを残したまま、ネットワーク機能の提供を停止すると、このコネクションを確立した機器は、コネクションの切断ができず、新たなコネクションの確立ができなくなる不具合を回避することができる。
【００３７】
（実施の形態４）
次に実施の形態４について説明する。実施の形態１，２，３において、バスリセットの発生を低減させることが可能となるが、バスリセットを回避できない場合、コネクションの復旧が不可能であった場合の処理を行なうものである。それぞれの実施例と異なるところについてのみ説明を行なう。図６は、実施の形態４の構成を示している。図６において、接続情報記録を保持するとともにコネクションの際確立を行なうと再接続要求部２０６が新たに追加されている。再接続要求部２０６は、自機器がコネクションを確立した際に、相手の情報を記憶する領域を持つ。この記憶領域には、接続先を示す固有の識別子、入出力識別、接続先のプラグ番号、伝送フォーマット、伝送帯域などである。固有の識別子は、ＩＥＥＥ１３９４では、ＥＵＩ６４（Ｅｘｔｅｎｄｅｄ  Ｕｎｉｑｕｅ  Ｉｄｅｎｔｉｆｉｅｒ）と呼ばれる８バイトからなる機器固有のＩＤを持つことが定められている。この情報は世界で唯一になることが保障されており、この情報を保持することで、ネットワーク上の機器を特定することが可能である。なお、この記憶領域は、自機器がコネクションの確立要求を出した時とコネクションの切断要求を出した時に更新される。また、自機器が複数の入出力プラグを持つ場合は、プラグの数だけ記憶領域を用意する。次に動作について説明する。自機器がＡＶデータなどの伝送のため、ネットワーク解釈部２０２を介して、コネクションの確立要求を行なう。コネクション確立に成功した場合、再接続要求部２０６に対して、接続先の情報を通知し、再接続要求部２０６は情報を記憶する。一方、ＡＶデータ伝送を終了した場合はネットワーク解釈部２０２を介してコネクションの切断要求を行なう。切断が行われた場合、再接続要求部２０６に対して、記憶している接続先の情報を無効にする。再接続要求部２０６は、ＩＥＥＥ１３９４規格上のコネクション復旧処理期間終了後にコネクションの復旧に失敗した通知を、ネットワーク解釈部２０２から受けると接続情報記録部を参照して、逐次、接続先とコネクションの再確立を行なう。但し、この時、接続された機器がネットワークから切り離された場合には、再接続は不可能なため、再接続の失敗をネットワーク解釈部２０２を介して、要求先に通知を行なう。あわせて、再接続要求部２０６に接続先情報の消去を要求する。また、接続先機器の異常により再接続が不可能な場合も、同様に再接続の失敗を要求先に通知する。接続先の機器がネットワーク上に存在する場合には、再接続に失敗しても、複数回は再接続の処理を行なう機能を追加しても良い。なお、再確立に成功した場合は、接続要求先には通知を行なわない。このようにすることで、やむを得なくバスリセットが生じた場合でも、ＡＶデータ伝送の中断を回避することが可能になる。
【００３８】
（実施の形態５）
次に実施の形態５について説明する。実施の形態５は、実施の形態１で、電源切断要求を受けて、機器状態判定部２０５の結果、ネットワーク１００上にＡＶデータの通信が存在することが判明した時の処理に機能を加えるものである。まず、電源制御部２０４にタイマーを持たせることで、一定時間間隔で、機器状態判定部２０５に対して、ネットワーク１００上でＡＶデータの通信の有無を調べる要求を行なえるようにする。電源制御部２０４は、ＡＶデータの通信が存在する場合、ネットワークに関係する全ての処理が可能な状態にして待機状態とする。そして、タイマーを設定して、タイマーが起動されると機器状態判定部２０５に対して要求を行い、ＡＶデータの通信の有無を調べる。ＡＶデータの通信が存在する場合は、次のタイマーによる起動を待つ。一方、ＡＶデータの通信が存在しなくなった場合には、バスリセットを発生させて、データ中継機能を提供する処理を行なう。これにより、ＡＶデータの途切れや中断の危険なく、ネットワーク上でＡＶデータの通信がなくなった後、待機時の消費電力を低減することが可能となる。
【産業上の利用可能性】
【００３９】
ＩＥＥＥ１３９４おいて、リアルタイムのＡＶストリームを伝送するデジタルネットワークにおいて、データの中継やＡＶデータ伝送の途切れを最小限に抑えながら待機時の省電力化を行なうＡＶ機器に適用することができる。また、ＡＶ機器だけでなく、ＡＶストリームを伝送するネットワークに接続される機器にも同様に適用できる。これまで、ＩＥＥＥ１３９４を元に説明をしたが、同様の機能を持つ他のネットワークに接続される機器においても適用できる。
【図面の簡単な説明】
【００４０】
【図１】ネットワーク接続の構成図
【図２】ＡＶ機器のネットワーク機能の構成を示すブロック図
【図３】本発明の実施の形態１に係るＡＶ機器のネットワーク機能の構成を示すブロック図
【図４】本発明の実施の形態１に係る機器状態判定部の処理のフローチャート
【図５】本発明の実施の形態３に係る機器状態判定部の処理のフローチャート
【図６】本発明の実施の形態４に係るＡＶ機器のネットワーク機能の構成を示すブロック図
【符号の説明】
【００４１】
１００    デジタルネットワーク
１０１    機器Ａ
１０２    機器Ｂ
１０３    機器Ｃ
２００    システム制御部
２０１    通信制御部
２０２    ネットワーク解釈部
２０３    ネットワーク資源管理制御部
２０４    電源制御部
２０５    機器状態判定部
２０６    再接続要求部
【図１】
2005252920.tif 000003
【図２】
2005252920.tif 000004
【図３】
2005252920.tif 000005
【図４】
2005252920.tif 000006
【図５】
2005252920.tif 000007
【図６】
2005252920.tif 000008